(57)【要約】【課題】複数の利用者により構成されるグループの単位での入退を実現でき、利用者の利便性が高い入退管理システムを提供する。【解決手段】入退管理システムにおいて、入退管理装置は、管理エリア間を入退する複数の利用者により構成されるグループをグループ管理情報に管理するグループ管理部を有する。グループ登録部は、認証装置に対するグループを構成する任意の利用者による当該グループの登録の操作と、当該グループを構成する複数の各々の利用者による認証の手続きとに基づいて、グループ管理情報にグループの情報を登録する。グループ判定部は、グループによる入退の際に当該グループのうちの任意の利用者による認証装置に対する認証の手続きを受けて、グループ管理情報に登録されているグループの情報を確認し、正しいグループである場合、当該グループの入退を許可する。【選択図】図１
2015060550.tif 000002
【特許請求の範囲】
【請求項１】
管理エリア間の入退時の利用者の認証を行う認証装置と、前記入退及び認証時の利用者の人数を検知する検知装置と、前記認証装置及び検知装置を用いて入退管理を行う入退管理装置と、を備え、
前記入退管理装置は、前記管理エリア間を入退する複数の利用者により構成されるグループをグループ管理情報に管理するグループ管理部を有し、
前記グループ管理部は、グループ登録部と、グループ判定部と、を含み、
前記グループ登録部は、前記認証装置に対する前記グループを構成する任意の利用者による当該グループの登録の操作と、当該グループを構成する複数の各々の利用者による認証の手続きとに基づいて、前記グループ管理情報に当該グループの情報を登録し、
前記グループ判定部は、前記グループによる入退の際に当該グループのうちの任意の利用者による前記認証装置に対する認証の手続きを受けて、前記グループ管理情報に登録されているグループの情報を確認し、正しいグループである場合、当該グループの入退を許可する、入退管理システム。
【請求項２】
請求項１記載の入退管理システムにおいて、
前記入退管理装置は、前記認証装置による認証時の認証情報と、前記検知装置による検知情報とを用いて、前記利用者の入退時の不正の共連れを検知する共連れ検知部を有する、入退管理システム。
【請求項３】
請求項１または２に記載の入退管理システムにおいて、
前記グループ管理部は、グループ解除部を含み、
前記グループ解除部は、前記認証装置に対する前記グループを構成する任意の利用者による当該グループの解除の操作に基づいて、前記グループ管理情報における当該グループの登録を解除するように情報を削除する、入退管理システム。
【請求項４】
請求項１または２に記載の入退管理システムにおいて、
前記グループの任意の利用者は、特定の利用者であり、
前記グループ登録部は、前記認証装置に対する前記グループを構成する特定の利用者による当該グループの登録の操作と、当該グループを構成する複数の各々の利用者による認証の手続きとに基づいて、前記グループ管理情報に当該グループの情報を登録する、入退管理システム。
【請求項５】
請求項４記載の入退管理システムにおいて、
前記グループ判定部は、前記グループによる入退の際に当該グループのうちの前記特定の利用者による前記認証装置に対する認証の手続きを受けて、前記グループ管理情報に登録されているグループの情報を確認し、正しいグループである場合、当該グループの入退を許可する、入退管理システム。
【請求項６】
請求項２記載の入退管理システムにおいて、
前記認証装置は、前記利用者によるカードまたは生体による認証の手続きが行われた人数を認証人数として前記入退管理装置に送信し、
前記検知装置は、前記管理エリアの特定の検知領域を対象に前記認証及び入退時の利用者の人数を検知して検知人数として前記入退管理装置に送信し、
前記入退管理装置は、前記認証人数と前記検知人数とを照合して前記共連れを検知する、入退管理システム。
【発明の詳細な説明】
【技術分野】
【０００１】
本発明は、入退時に利用者の認証を行う入退管理システムの技術に関する。また本発明は、入退に伴う共連れ（ピギーバック）を検知する技術に関する。
【背景技術】
【０００２】
従来の入退管理システムは、共連れを検知する機能（以下、共連れ検知機能と称する）を備えるシステムとして以下がある。従来の入退管理システムは、利用者の入室時に認証装置により利用者のＩＣカードや生体による認証を行い、その認証の手続きを行った人数または回数を把握する。共連れ検知機能は、利用者の認証及び入室の際に、ドア及び認証装置の付近を、赤外線センサやカメラ等の手段により監視や撮影することにより、入室する利用者の人数を検知する。共連れ検知機能は、上記認証の人数と入室の人数とを照合し、上記入室の人数が上記認証の人数を超える場合、それを共連れとして検知し防止する。
【０００３】
上記共連れ検知機能を備える入退室管理システムに関する先行技術例として、特開２０１０−１５２５５２号公報（特許文献１）が挙げられる。特許文献１の監視システム及び共連れ侵入監視方法は、カメラにより共用エリアの指定範囲を撮影した画像を使用して、共用エリアから管理エリアに移動する利用者の人数を計測する。コントローラは、認証装置により認証された利用者の人数と、カメラによる計測の人数との整合性を判定し、当該人数が不一致の場合、非認証者の共連れが発生したと判定する。
【先行技術文献】
【特許文献】
【０００４】
【特許文献１】特開２０１０−１５２５５２号公報
【発明の概要】
【発明が解決しようとする課題】
【０００５】
特許文献１のような従来の共連れ検知機能を備える入退管理システムは、利用者の認証の人数ないし回数と、カメラ等の検知装置による検知の人数との照合により、利用者の共連れによる入室を検知できる。しかし、従来の共連れ検知機能を備える入退管理システムは、正規の複数の利用者により構成されるグループの単位での入退に関しては、以下のように入退の時間や利便性の点で課題がある。従来の入退管理システムは、従来の共連れ検知機能に加えて、上記グループの単位での入退を可能とする機能（以下、グループ機能と称する）を提供しておらず、当該機能を導入する場合、実現性に課題がある。
【０００６】
特許文献１のような従来の共連れ検知機能を備える入退管理システムは、利用者の認証の人数ないし回数と、カメラ等の検知装置による検知の人数との照合により、不正の共連れの入室を判定している。当該従来の入退管理システムは、仮にグループ機能を導入する場合、当該グループの複数の利用者が、簡便な認証の手続き、例えば１回にまとめた認証により管理エリア間を移動して入室できるようにする必要がある。このグループの入室の際、従来の共連れ検知機能により正常に不正の共連れを検知するためには、認証の人数の把握が必要である。即ち、グループ全員の各々の利用者ごとの認証の手続きが必要である。これは、そもそも上記グループ機能の要件を満たさない。即ち従来の共連れ検知機能に加えたグループ機能の導入は実現できない。
【０００７】
従来の共連れ検知機能を備える入退管理システムは、上記グループ機能を実現できず、当該グループに対応する正規の複数の利用者の入室時に、各々の利用者の認証の手続きが必要であり、当該入室に時間及び手間がかかりスムーズな入室ができず、利用者の利便性が低い。
【０００８】
また従来の共連れ検知機能を備える入退管理システムは、複数の利用者により構成されるグループがシステム情報として設定され、利用者及び管理者の双方によりグループを登録するための手間がかかる。特にグループを頻繁に変更する必要がある場合、余計に手間がかかり、利便性が低い。
【０００９】
本発明の目的は、上記共連れ検知機能を備える入退管理システムに関して、複数の利用者の入退の際の不正の共連れを検知する共連れ検知機能を備えつつ、正規の複数の利用者により構成されるグループの単位でのスムーズな入退を実現でき、利用者の利便性が高い技術を提供することである。
【課題を解決するための手段】
【００１０】
本発明のうち代表的な実施の形態は、共連れ検知機能を備える入退管理システムであって、以下に示す構成を有することを特徴とする。
【００１１】
一実施の形態の入退管理システムは、管理エリア間の入退時の利用者の認証を行う認証装置と、前記入退及び認証時の利用者の人数を検知する検知装置と、前記認証装置及び検知装置を用いて入退管理を行う入退管理装置と、を備え、前記入退管理装置は、前記管理エリア間を入退する複数の利用者により構成されるグループをグループ管理情報に管理するグループ管理部を有し、前記グループ管理部は、グループ登録部と、グループ判定部と、を含み、前記グループ登録部は、前記認証装置に対する前記グループを構成する任意の利用者による当該グループの登録の操作と、当該グループを構成する複数の各々の利用者による認証の手続きとに基づいて、前記グループ管理情報に当該グループの情報を登録し、前記グループ判定部は、前記グループによる入退の際に当該グループのうちの任意の利用者による前記認証装置に対する認証の手続きを受けて、前記グループ管理情報に登録されているグループの情報を確認し、正しいグループである場合、当該グループの入退を許可する。
【００１２】
一実施の形態の入退管理システムにおいて、前記入退管理装置は、前記認証装置による認証時の認証情報と、前記検知装置による検知情報とを用いて、前記利用者の入退時の不正の共連れを検知する共連れ検知部を有する。
【発明の効果】
【００１３】
本発明のうち代表的な実施の形態によれば、上記共連れ検知機能を備える入退管理システムに関して、複数の利用者の入退の際の不正の共連れを検知する共連れ検知機能を備えつつ、正規の複数の利用者により構成されるグループの単位でのスムーズな入退を実現でき、利用者の利便性が高い。
【図面の簡単な説明】
【００１４】
【図１】本発明の一実施の形態の入退管理システムの構成を示す図である。
【図２】一実施の形態の入退管理システムと管理エリア等の例とを含む、システム全体の構成を示す図である。
【図３】第１状況であるグループ登録及び入室時を示す図である。
【図４】第２状況であるグループ入室時を示す図である。
【図５】第３状況であるグループ解除時を示す図である。
【図６】共連れ検知機能の入室監視処理の流れを示す図である。
【図７】第１状況であるグループ登録及び入室時の処理シーケンスを示す図である。
【図８】第２状況であるグループ入室時の処理シーケンスを示す図である。
【図９】第３状況であるグループ解除時の処理シーケンスを示す図である。
【図１０】グループ管理テーブルの構成例を示す図である。
【発明を実施するための形態】
【００１５】
以下、本発明の実施の形態を図面に基づいて詳細に説明する。なお、実施の形態を説明するための全図において、同一部には原則として同一符号を付し、その繰り返しの説明は省略する。
【００１６】
本実施の形態の入退管理システムは、不正の共連れの入退を検知する共連れ検知機能と、正規の複数の利用者によるグループの単位での簡便な認証の手続きによる入退を可能とするグループ機能を備える。本実施の形態の入退管理システムは、認証装置による利用者の認証の人数ないし回数を把握する機能と、入退時のドア及び認証装置の付近の人数を検知装置により検知する機能と、認証の人数と検知の人数とを用いて共連れを検知する共連れ検知機能と、利用者による認証装置での操作を通じて複数の利用者によるグループを登録し、当該グループの単位での入退を判定し、利用者による認証装置での操作を通じて複数の利用者によるグループを解除する、グループ管理機能と、を有する。
【００１７】
グループ機能は、利用者により、認証装置の所で、グループの登録の操作を行い、グループを構成する複数の利用者の認証の手続きを行う。これにより、グループ機能は、当該登録されるグループの情報をテーブルに格納して管理する。グループ機能は、上記グループの登録後、当該グループによる入退の際、当該グループのうちの任意または特定の利用者の認証の手続きのみで、当該利用者が属するグループを判定及び確認する。グループ機能は、正しいグループである場合、当該グループの全員の利用者の入退を許可し、正しくないグループ即ち不正の共連れがある場合、検知して入退を不許可にする。
【００１８】
＜実施の形態１＞
図１〜図１０を用いて、本発明の実施の形態１の入退管理システムについて説明する。
【００１９】
実施の形態１は、複数の利用者によるグループの単位として、任意の利用者がグループの登録及び解除の操作が可能であり、グループ登録後は任意の利用者の認証のみでグループ入退を可能とする形態を示す。
【００２０】
［システム構成］
図１は、実施の形態１の入退管理システムの構成を示す。実施の形態１の入退管理システムは、入退管理装置１、複数の認証装置２、複数の検知装置３、及び複数のドア４が、ＬＡＮ８（図２）を通じて接続される。利用者は、ＩＤコード等が記録されたＩＣカードであるカード５を所持する。
【００２１】
入退管理装置１は、入退管理システムの主要な制御装置であり、サーバ装置、ＩＣチップ、またはソフトウェアプログラム処理等で構成される。入退管理装置１は、入退管理機能を実現する入退管理制御部１０を有し、入退管理のためのシステム情報を入退管理テーブル５０に格納及び管理する。入退管理制御部１０による入退管理機能は、利用者の管理エリア間の入退時に認証装置２を用いて認証処理を行うことにより不正な利用者の入退を防止する。入退管理装置１の管理者により、入退管理のためのシステム情報が入退管理テーブル５０に設定される。入退管理のためのシステム情報は、各利用者のカード５のＩＤコード等の情報や、管理エリアを規定する情報、管理エリア間の正規の入退シーケンスを規定した情報、等がある。
【００２２】
入退管理装置１の入退管理機能は、共連れ検知部１１による共連れ検知機能と、グループ管理部１２によるグループ管理機能とを含む。共連れ検知部１１による共連れ検知機能は、認証装置２からの認証情報ｄ１と、検知装置３からの検知情報ｄ２とを用いて、認証人数Ｎと検知人数Ｋとの照合により、共連れを検知し、それらの情報を共連れ検知テーブル５１に格納及び管理する。グループ管理部１２によるグループ管理機能は、利用者による認証装置２でのグループの登録及び解除の手続きに基づいて、当該グループの情報をグループ管理テーブル５２に格納及び管理する。
【００２３】
認証装置２は、入退管理装置１による制御に基づいて、利用者のカード５のＩＤコード等の情報を読み取って認証する機能を備えるリーダである。認証装置２は、ドア４と接続される。ドア４は、電気錠付き扉である。認証装置２は、利用者の認証に基づいて、ドア４の電気錠の施錠及び解錠の状態を制御する。認証装置２は、認証機能に加えて、グループ機能に対応し、利用者によるグループの登録及び解除等の操作のインタフェースを備える。認証装置２は、ＩＣカードによる認証の方式とするが、これに限らず、生体認証などの方式が適用可能である。
【００２４】
検知装置３は、共連れ検知機能の主な構成要素であり、認証装置２が設置された管理エリアにおけるドア４及び認証装置２の付近にいる利用者の人数、言い換えると認証及び入室の際の人数、を検知及び計数する。
【００２５】
入退管理装置１のグループ管理部１２は、グループ登録部１３、グループ解除部１４、及びグループ判定部１５を含み、グループ管理テーブル５２を管理する。グループ管理テーブル５２は、後述の図１０に示すように、利用者のグループの情報を格納する。
【００２６】
グループ登録部１３は、認証装置２のグループ登録部２２と連携し、登録するグループの情報をグループ管理テーブル５２に書き込み及び設定する処理を行う。グループ解除部１４は、認証装置２のグループ解除部２３と連携し、グループ管理テーブル５２に登録済みのグループを解除する処理を行う。
【００２７】
グループ判定部１５は、グループ入退時に、グループ管理テーブル５２のグループの情報を参照及び確認し、正しいグループであるかどうかを判定し、正しいグループによる入退を許可する処理を行う。
【００２８】
認証装置２は、認証部２１、グループ登録部２２、及びグループ解除部２３を有する。認証部２１は、利用者の認証処理として、利用者によりかざされたカード５内のＩＤコード等の情報を読み取り、入退管理装置１による入退管理テーブル５０の情報に基づいて、入退を許可するか判定する処理を行う。認証部２１は、カード５のＩＤコードが、入退管理装置１または当該認証装置２に登録されているＩＤコードに該当するかを確認し、該当する場合は認証の結果を許可（ＯＫ）と判定し、該当しない場合は認証の結果を不許可（ＮＧ）と判定する。認証装置２は、認証部２１による認証の結果が許可の場合、ドア４の電気錠を解錠する。
【００２９】
認証部２１は、認証の結果の情報を含む認証情報ｄ１を、入退管理装置１へ送信する。また認証部２１は、認証の手続きが行われた数により認証を行った利用者の人数を把握し、当該認証の人数（Ｎ：認証人数とする）を含む認証情報ｄ１を、入退管理装置１へ送信する。なお認証の人数は、認証の回数と捉えても同様である。入退管理装置１は、認証情報ｄ１により、認証された利用者の人数を把握する。なお認証情報ｄ１に認証人数Ｎが含まれない場合、入退管理装置１が認証情報ｄ１を用いて認証人数Ｎを判断することもできる。
【００３０】
認証装置２のグループ登録部２２は、利用者によるグループ登録の操作や指示を受け付ける。グループ登録部２２は、例えばグループ登録用のボタンを設け、当該ボタンが利用者により押される。グループ登録部２２は、グループ登録の操作や指示を受けた場合、その情報を含むグループ登録情報ｄ３を、入退管理装置１へ送信する。入退管理装置１は、当該グループ登録情報ｄ３を受信した場合、グループ登録部１３によるグループ登録処理を行う。
【００３１】
認証装置２のグループ解除部２３は、利用者によるグループ解除の操作や指示を受け付ける。グループ解除部２３は、例えばグループ解除用のボタンを設け、当該ボタンが利用者により押される。グループ解除部２３は、グループ解除の操作や指示を受けた場合、その情報であるグループ解除情報ｄ４を、入退管理装置１へ送信する。入退管理装置１は、当該グループ解除情報ｄ４を受信した場合、グループ解除部１４によるグループ解除処理を行う。
【００３２】
認証装置２は、利用者に対してグループ登録やグループ解除に関するガイダンスの処理を行ってもよい。例えば、認証装置２は、画面にガイダンスの情報を表示してもよいし、ガイダンスの音声を出力してもよい。これにより利用者は、よりわかりやすくグループ登録等ができる。あるいは、入退管理システムの運用として、予めグループの登録や解除の仕方について利用者に知らせておくことでもよい。
【００３３】
検知装置３は、人数検知部３１、及び撮影部３２を有する。撮影部３２は、後述の図２のようにドア４及び認証装置２の付近に設定されている検知領域６を対象としてカメラにより撮影及び監視する。人数検知部３１は、撮影部３２による撮影画像を用いて、画像処理等により、検知領域７にいる利用者の人数、あるいは、検知領域７からドア４を通過して入室する利用者の人数を判断及び検知する。そして、人数検知部３１は、検知した人数（Ｋ：検知人数とする）を含む検知情報ｄ２を、入退管理装置１へ送信する。入退管理装置１は、検知情報ｄ２により、認証及び入退の際の利用者の人数である検知人数Ｋを把握する。
【００３４】
検知装置３は、カメラの撮影及び画像処理による検知の方式としたが、これに限らず、赤外線センサ等の他の方式も適用可能である。検知装置３とドア４とが接続され、ドア４の状態に応じて検知装置３が検知処理を行ってもよい。検知装置３と認証装置２とが接続され、認証の状態に応じて検知装置３が検知処理を行ってもよい。
【００３５】
［管理エリア構成］
図２は、実施の形態１の入退管理システムと管理エリア等の例とを含む、システム全体の構成を示す。利用者の例として、利用者Ｐ１〜Ｐ５を示し、それぞれに対応付けられたカード５としてカードＣ１〜Ｃ５を示す。入退管理システムによる管理対象となる複数の管理エリア７の構成例として、３つの管理エリアＡ１〜Ａ３を示す。管理エリア７は、建物の部屋や区画等である。管理エリアＡ１は、例えば建物入口や通路等である。管理エリアＡ２は、管理エリアＡ１から入室する第１の部屋である。管理エリアＡ２は、管理エリアＡ２から入室する第２の部屋である。
【００３６】
認証装置２の例として、リーダＲ１，Ｒ２を示す。リーダＲ１は、管理エリアＡ１からＡ２へ入室する際に使用される。リーダＲ２は、管理エリアＡ２からＡ３へ入室する際に使用される。ドア４の例として、ドアｄ１，ｄ２を示す。ドアｄ１は、管理エリアＡ１と管理エリアＡ２との間の入退用である。ドアｄ２は、管理エリアＡ２と管理エリアＡ３との間の入退用である。リーダＲ１は、ドアｄ１に接続され、リーダＲ２は、ドアｄ２に接続される。
【００３７】
検知装置３の例として、検知装置Ｖ１，Ｖ２を示す。検知装置Ｖ１は、ドアｄ１及びリーダＲ１の付近に設定された検知領域６を対象として撮影し、管理エリアＡ１から管理エリアＡ２に入室する利用者の人数を検知する。検知装置Ｖ２は、ドアｄ２及びリーダＲ２の付近に設定された検知領域６を対象として撮影し、管理エリアＡ２から管理エリアＡ３に入室する利用者の人数を検知する。
【００３８】
各管理エリア７は、カード５の認証に応じてドア４の電気錠の状態を制御する認証装置２と、入室の人数を監視及び検知して共連れの検知を実現する検知装置３とにより、セキュリティが確保されている。
【００３９】
認証装置２は、すべて同じ種類の認証装置とし、いずれもグループ登録及び解除を含むグループ機能に対応する。このような認証装置２は、いずれの管理エリア７に設置されてもよい。また管理エリア７は、グループ機能に対応した認証装置２と、グループ機能に対応しない既存の認証装置とが混在して設置されてもよい。
【００４０】
［第１状況：グループ登録及び入室］
図３は、図２の管理エリア７及び利用者における、第１状況として、グループ登録及び入室時を示す。例として管理エリアＡ１のリーダＲ１で入室のグループＧ１が登録され、登録に伴い当該グループＧ１が管理エリアＡ１から管理エリアＡ２へ入室する、という状況を示す。１つのグループＧ１の登録の例として、利用者Ｐ１〜Ｐ４の４人をグループＧ１の構成員とする。またグループＧ１の登録及び解除の手続きを行う任意の利用者の例として、利用者Ｐ１〜Ｐ４のうち誰でもよいが、利用者Ｐ１とする。
【００４１】
利用者Ｐ１は、３０１で示すように、管理エリアＡ１のドアｄ１の前で、リーダＲ１に対して、自身のカードＣ１をかざしつつ、グループ登録の手続きを行う。続いて、３０２に示すように、グループＧ１の構成員となる他の利用者である利用者Ｐ２〜Ｐ４は、それぞれ個別に、リーダＲ１に対してカードＣ２〜Ｃ４をかざしつつ認証の手続きを行う。これにより、当該利用者Ｐ１〜Ｐ４によるグループＧ１が入退管理装置１に登録される。
【００４２】
本実施の形態の入退管理システムは、最初のグループ登録の際には、グループの構成員とする各利用者の認証の手続きを必要とする。本実施の形態の入退管理システムは、上記グループ登録と最初のグループ入室とが１つの手続きに統合されている。グループ登録と共に、各利用者の認証が済んでいるので、各利用者はそのまま入室ができる。グループ登録の手続きをしてから改めてグループ入室の手続きをするという必要は無い。例えば各利用者Ｐ１〜Ｐ４の認証を含むグループＧ１の登録に伴い、リーダＲ１によりドアｄ１が解錠され、そのままグループＧ１の利用者Ｐ１〜Ｐ４は、ドアｄ１を通過して管理エリアＡ２へ入室する。
【００４３】
上記グループ登録の際の操作の一例は以下である。（１）登録を行う利用者は認証装置２のグループ登録ボタンを押す。これにより、認証装置２及び入退管理装置１はグループ登録処理を開始する。（２）グループの構成員とする各利用者は、自身のカード５を認証装置２へのかざすことで認証の手続きを順に行う。（３）登録を行う利用者は認証装置２のグループ登録ボタンを再度押すことにより、グループ登録処理を終了する。入退管理装置１は、上記グループ登録の開始から終了までの時間に認証された各利用者をグループの構成員として登録する。
【００４４】
［第２状況：グループ入室］
図４は、図３の第１状況に続く、第２状況として、グループ登録後のグループ入室時を示す。例として管理エリアＡ２内にいるグループＧ１の利用者Ｐ１〜Ｐ４が、管理エリアＡ３へ入室する状況を示す。グループＧ１のうちの任意の利用者である例えば利用者Ｐ１は、４０１で示すように、リーダＲ２で自身のカードＣ１をかざすことで認証の手続きを行う。これにより、入退管理装置１はグループＧ１を判定及び確認し、グループＧ１の入退を許可する。リーダＲ２によりドアｄ２が解錠され、グループＧ１の全員が管理エリアＡ２からＡ３へ入室する。
【００４５】
一旦グループが登録された後は、第２状況のように、グループのうちの一人の利用者による認証の手続きのみで、グループの全員の入退が可能である。例えば利用者Ｐ１以外の利用者Ｐ２〜Ｐ４は、個別の認証の手続きが不要で入室できる。
【００４６】
なお本例では管理エリアＡ３から管理エリアＡ２，Ａ１への退室の方向は、認証装置２を設置していないので、認証無しで退室可能である。退室の方向についても、入室の方向と同様に、認証装置２及び検知装置３を設置する構成とすれば、共連れ検知及びグループ退室の機能が利用可能である。
【００４７】
［第３状況：グループ解除］
図５は、図４の第２状況に続く、第３状況として、グループ解除時を示す。例としてグループＧ１の利用者Ｐ１〜Ｐ４が管理エリアＡ３内から管理エリアＡ２を経て管理エリアＡ１へ退室後、管理エリアＡ１のリーダＲ１でグループＧ１を解除する状況を示す。グループＧ１のうちの任意の利用者である例えば利用者Ｐ１は、５０１で示すように、リーダＲ１でカードＣ１をかざしつつグループ解除の手続きを行う。これにより、グループＧ１が解除され、利用者Ｐ１〜Ｐ４は、個別の認証が行われる状態へ戻る。
【００４８】
グループ解除の際の操作の一例は以下である。（１）解除を行う利用者は認証装置２のグループ解除ボタンを押す。これにより、認証装置２及び入退管理装置１はグループ解除処理を開始する。（２）解除を行う利用者は、自身のカード５を認証装置２にかざすことで認証の手続きを行う。（３）解除を行う利用者は認証装置２のグループ解除ボタンを再度押す。これにより、認証装置２及び入退管理装置１はグループ解除処理を終了する。入退管理装置１は、解除を行う利用者の認証により、グループ管理テーブル５２から、グループ及びその構成員を特定し、当該グループを解除する。
【００４９】
［共連れ検知機能の入室監視処理］
図６は、実施の形態１の入退管理システムの制御処理のうち、主に入退管理装置１の共連れ検知機能による入室監視処理の流れを示す。Ｓ１等は処理ステップを示す。図６は主に共連れ検知機能に関する処理を示し、グループ機能に関しては後述の図７〜図９に示される。
【００５０】
（Ｓ１）  Ｓ１は、管理エリア７のドア４が閉じている施錠の状態の時において、認証装置２によるカード５の認証の結果が許可（ＯＫ）であるかどうかを判定するステップである。認証装置２は、利用者によりカード５がかざされると、当該利用者の入室が許可されるかを判定する。判定の結果が許可（ＯＫ）である場合（Yes）はＳ２へ進み、判定の結果が不許可（ＮＧ）である場合（No）は、ドア４を解錠せずに施錠の状態のままとし、Ｓ１での待機とする。
【００５１】
Ｓ１の時、認証装置２及び入退管理装置１は、判定の結果が許可である場合、従来の入退管理の処理と同様に、入退管理テーブル５０に、利用者が管理エリア間を移動したことを示す入退履歴情報を記録する。
【００５２】
（Ｓ２）  Ｓ２では、認証装置２は、Ｓ１で許可であったため、ドア４を解錠する。これにより利用者は入室ができる。
【００５３】
（Ｓ３）  Ｓ３は、検知装置３により利用者の入室を検知するステップである。入室を検知した場合（Yes）はＳ４へ進み、検知しない場合（No）はＳ５へ進む。
【００５４】
（Ｓ４）  Ｓ４では、検知装置３は、利用者の管理エリア７間の入室を検知すると、検知人数Ｋを計数する（Ｋ＝Ｋ＋１とする）。なおＳ３，Ｓ４では一人ずつの検知及び計数としているが、検知装置３は、前述のカメラ及び画像処理等により、一挙に複数の人数を判定して計数してもよい。
【００５５】
（Ｓ５）  Ｓ５は、管理エリア７のドア４が閉じている解錠の状態の時において、認証装置２による利用者のカード５の認証を行うステップである。認証装置１は、Ｓ１と同様に、入室を許可するかどうかを判定する。認証の結果が許可（ＯＫ）の場合（Yes）はＳ６へ進み、不許可（ＮＧ）の場合（No）はＳ７へ進む。
【００５６】
（Ｓ６）  Ｓ６では、認証装置２は、Ｓ５の判定の結果として入室が許可された数を、認証人数Ｎとして計数する（Ｎ＝Ｎ＋１とする）。なお前述のように認証装置２ではなく入退管理装置１で計数する形態としてもよい。
【００５７】
（Ｓ７）  Ｓ７は、認証装置２によりドア４の解錠または施錠の状態を判断するステップである。ドア４が施錠状態で閉じている場合（No）はＳ３へ戻る。ドア４が解錠状態で開いている場合（Ｙ）はＳ８へ進む。ドア４が閉じることで一単位の処理が終了する。
【００５８】
（Ｓ８）  Ｓ８は、認証人数Ｎ及び検知人数Ｎを入退管理装置１に送信するステップである。認証装置２は、認証人数Ｎを含む認証情報ｄ１を入退管理装置１に送信し、検知装置３は、検知人数Ｋを含む検知情報ｄ２を入退管理装置１に送信する。
【００５９】
（Ｓ９）  Ｓ９は、入退管理装置１により、認証人数Ｎ及び検知人数Ｋを用いて、入室の判定を行うステップである。入退管理装置１は、認証人数Ｎと検知人数Ｋとの照合により、共連れ及びグループに関する判定を行う。入退管理装置１は、認証人数Ｎと検知人数Ｋとが不一致の場合、不正の共連れとして判定する。入退管理装置１は、判定の結果が不正の共連れである場合、不正の共連れを伝えるアラームを発生し、不正の共連れを検知したことを示す情報を共連れ検知テーブル５１に記録する。
【００６０】
［グループ機能の処理］
次に、図７〜図９を用いて、グループ機能として、グループの単位で管理エリア間を入退する際の処理のシーケンスを説明する。図７〜図９は、前述の図３〜図５の第１状況〜第３状況に対応した処理シーケンスであり、順に説明する。
【００６１】
［第１状況：処理シーケンス］
図７は、第１状況であるグループ登録及び入室時の処理シーケンスを示す。
【００６２】
（S101）  ステップS101は、グループになる任意の利用者とその他の利用者とにより、認証装置２に対してグループ登録及び入室時認証の手続きを行う。例えば利用者Ｐ１は自身のカードＣ１をリーダＲ１にかざすと共にグループ登録の操作を行う。グループの構成員となる他の利用者、例えば利用者Ｐ２〜Ｐ４は、利用者Ｐ１に続いて、各自のカード５を順にリーダＲ１にかざす。
【００６３】
（S102）  S102では、S101の手続きを受けて、認証装置２は、各利用者の認証のＩＤコード等の情報及び計数した認証人数Ｎを含む認証情報ｄ１と、グループ登録指示を示すグループ登録情報ｄ３とを、入退管理装置１へ送信する。入退管理装置１は、これらの情報を受信し、メモリに記憶する。
【００６４】
（S103）  S103では、検知装置３は、上記グループを登録しようとしている複数の利用者（Ｐ１〜Ｐ４）の認証及び入室の状態を検知し、検知した検知人数Ｋを含む検知情報ｄ２を入退管理装置１に送信する。
【００６５】
（S104）  S104では、入退管理装置１のグループ登録部１３は、認証装置２から受信した認証情報ｄ１の認証人数Ｎと、検知装置３から受信した検知情報ｄ２の検知人数Ｋとを照合し、認証人数Ｎと検知人数Ｋとが一致の場合、当該グループをグループ管理テーブル５２に登録する。
【００６６】
入退管理装置１は、図１０のグループ管理テーブル５２に、当該複数の利用者を１つのグループとして登録する情報を書き込む。即ち、図１０のグループ管理テーブル５２で、グループ番号ｇ１の項目に、同じグループ番号の値、例えばＧ１を格納し、利用者番号ｇ２の項目に、各利用者の番号、例えば利用者Ｐ１〜Ｐ４の番号を格納する。また、代表利用者ｇ３の項目には、グループ登録情報ｄ３で示すグループ登録の操作を行った利用者である例えば利用者Ｐ１の項目に１を格納し、他の利用者である利用者Ｐ２〜Ｐ４の項目に０を格納する。また図３の状況の場合、グループの全利用者（Ｐ１〜Ｐ４）は、管理エリアＡ１から管理エリアＡ２へ移動することになるので、現在エリアｇ４の項目には、移動後の管理エリア７を示すＡ２が格納される。
【００６７】
S104では、認証人数Ｎと検知人数Ｋとが不一致の場合、上記グループを登録しない。即ち、グループ登録処理の結果を失敗とする。
【００６８】
入退管理装置１は、上記グループの登録処理の結果を示す応答の情報を、認証装置２へ送信する。認証装置２は、応答の情報を受信すると、グループ登録の結果を、インタフェースの画面に表示したり、あるいは音声出力したりすることで、利用者に報せる。これにより利用者はグループが正常に登録されたか否かを確認できる。
【００６９】
［第２状況：処理シーケンス］
図８は、第２状況であるグループ入室時の処理シーケンスを示す。図４のように、グループ（Ｇ１）の登録済みである利用者（Ｐ１〜Ｐ４）が、管理エリアＡ２から管理エリアＡ３へグループ入室する。
【００７０】
（S201）  ステップS201は、グループ（Ｇ１）の単位での入室の際、グループ（Ｇ１）のうちの任意の利用者、例えば利用者Ｐ１は、管理エリアＡ２の認証装置２であるリーダＲ２に、自身のカードＣ１をかざすことにより、グループ入室の認証を含む手続きを行う。
【００７１】
（S202）  S202は、認証装置２は、S201の手続きを受けて、当該認証の手続きを行った利用者（Ｐ１）の認証のＩＤコード等の情報を含む認証情報ｄ１を、入退管理装置１へ送信する。入退管理装置１は、認証装置２からの認証情報ｄ１を受信し記憶する。
【００７２】
（S203）  S203では、検知装置３は、上記グループ入室の際の複数の利用者を検知する。例えば検知装置Ｖ２は、管理エリアＡ２内の検知領域６にいる利用者Ｐ１〜Ｐ４を検知人数Ｋ＝４として検知する。検知装置３は、検知人数Ｋを含む検知情報ｄ２を入退管理装置１へ送信する。入退管理装置１は、検知装置３からの検知情報ｄ２を受信し記憶する。
【００７３】
（S204）  S204では、入退管理装置１のグループ判定部１５は、受信した認証情報ｄ１を用いて、グループ管理テーブル５２を参照し、当該認証情報ｄ１が指し示す利用者（Ｐ１）の情報の有無を確認する。図１０のグループ管理テーブル５２の利用者番号ｇ２の項目に、当該利用者（Ｐ１）の番号が登録されている場合、当該利用者（Ｐ１）はグループ番号ｇ１の項目で示すグループ（Ｇ１）に登録されているとわかる。
【００７４】
その場合、グループ判定部１５は、当該利用者（Ｐ１）が属するグループ（Ｇ１）の人数と、検知装置３からの検知情報ｄ２に含む検知人数Ｋとを照合する。入退管理装置１は、この照合の人数が一致している場合、正しいグループ入室であり許可と判定し、不一致の場合、正しくないグループ入室であり不許可と判定し、例えばアラームを発生する。
【００７５】
入退管理装置１は、上記グループ入室の判定の結果を示す応答の情報を、認証装置２へ送信する。認証装置２は、応答の情報に応じて、ドア４の状態を制御する。
【００７６】
（S205）  S205では、入退管理装置１は、S204の結果がグループ入室の許可である場合、入退管理テーブル５０または図１０のグループ管理テーブル５２の中に、当該グループの利用者が現在いる管理エリア７を示す入退履歴情報を記録する。図１０のグループ管理テーブル５２に記録する場合、現在エリアｇ４の項目に、当該管理エリア７の番号が記録される。
【００７７】
［第３状況：処理シーケンス］
図９は、第３状況であるグループ解除時の処理シーケンスを示す。図５のように、グループ（Ｇ１）のうちの任意の利用者（Ｐ１）が管理エリア７（Ａ１）でグループ（Ｇ１）の解除の手続きを行う。
【００７８】
（S301）  ステップS301では、グループ（Ｇ１）のうちの任意の利用者である例えば利用者Ｐ１は、管理エリア７（Ａ１）の認証装置２であるリーダＲ１に自身のカードＣ１をかざしてグループ解除の手続きを行う。
【００７９】
（S302）  S302では、認証装置２は、S301のグループ解除の手続きを受けて、当該解除の操作を行った利用者（Ｐ１）の認証の情報を含む認証情報ｄ１と、グループ解除指示を含むグループ解除情報ｄ４とを、入退管理装置１へ送信する。
【００８０】
（S303）  S303では、入退管理装置１のグループ解除部１４は、認証情報ｄ１を用いてグループ管理テーブル５２を参照し、当該解除の操作を行った利用者がグループに登録されていることを確認し、当該グループを解除処理する。即ち、グループ解除部１４は、グループ管理テーブル５２の該当のグループ番号ｇ１の行を削除する。入退管理装置１は、上記グループの解除処理の結果を示す応答の情報を、認証装置２へ送信する。認証装置２は、応答の情報を受信すると、グループ解除の結果を、インタフェースの画面に表示したり、あるいは音声出力したりすることで、利用者に報せる。これにより利用者はグループが正常に解除されたか否かを確認できる。
【００８１】
［グループ管理テーブル］
図１０は、グループ管理テーブル５２の構成例を示す。図１０のグループ管理テーブル５２は、管理する項目として、グループ番号ｇ１、利用者番号ｇ２、代表利用者ｇ３、現在エリアｇ４を含む。グループ番号ｇ１は、グループを識別する番号である。利用者番号ｇ２は、グループ番号ｇ１で示すグループを構成する利用者を識別する番号であり、カード５のＩＤコードと対応している。例えばあるグループＧ１は、利用者Ｐ１〜Ｐ４の４人から構成される。
【００８２】
代表利用者ｇ３は、実施の形態１の場合、グループの登録及び解除の手続きを行った任意の利用者を指し示す値である。なお、代表利用者ｇ３の項目を無くしてもよいし、別のテーブルで管理してもよい。
【００８３】
現在エリアｇ４は、グループ入退による、利用者番号ｇ２で示す利用者が現在いる管理エリアを記録する場合の項目を示す。正しいグループ入退を行っている場合、利用者は、現在エリアｇ４で示す管理エリア７にいることを示す。利用者が正しくないグループ入退を行っている場合、入退履歴違反になるので、入退管理システムは、当該正しくないグループ入退の利用者を検知することができる。
【００８４】
［効果等］
以上説明したように、実施の形態１の共連れ検知機能を備える入退管理システムによれば、複数の利用者の入退の際の不正の共連れを検知する共連れ検知機能を備えつつ、正規の複数の利用者により構成されるグループの単位でのスムーズな入退を実現でき、利用者の利便性が高い。本実施の形態は、共連れ検知機能により不正の共連れを防止できると共に、加えてグループ機能の実現によりグループの入退を実現できる。本実施の形態は、グループ登録後はグループの個々の利用者の認証の手続きを省略できるので、グループの入退を短時間でスムーズに行うことができ、利便性が高い。
【００８５】
従来例の入退管理システムは、予めシステム情報の設定によりグループを登録する必要がある。一方、本実施の形態は、予めシステム情報の設定によりグループを登録する必要は無く、入退の際に対応する認証装置の所で必要に応じてグループを登録及び解除することができる。本実施の形態は、利用者により柔軟かつ容易にグループを登録及び解除することができる。即ち、本実施の形態は、利用者及び管理者の手間が少ない。本実施の形態は、グループを頻繁に変更する場合にも適している。本実施の形態は、言い換えれば、動的にグループを設定することができる。本実施の形態は、利用者個人の認証の状態と、グループの認証の状態とを適宜切り替えることができる。
【００８６】
＜実施の形態２＞
実施の形態２の入退管理システムについて説明する。実施の形態２は、実施の形態１とは異なる構成として以下を有する。実施の形態２は、複数の利用者によるグループの単位において、特定の利用者が代表利用者としてグループの登録及び解除の操作が可能であり、グループ登録後は特定の代表利用者の認証のみでグループ入退を可能とする形態を示す。言い換えると、特定の代表利用者は、グループの登録及び解除を行う権限を有し、グループ入退の際の操作及び手続きを代表として行う。
【００８７】
前述の図１０のグループ管理テーブル５２において、代表利用者ｇ３の項目は、上記の意味での代表利用者の情報が設定される。実施の形態２の場合、代表利用者ｇ３の項目は、グループの登録及び解除の権限を持つ代表利用者を設定するフラグ情報である。当該フラグ値は、１が権限有り、０が権限無しを示す。
【００８８】
入退管理装置１は、前述のグループの登録の操作を行った任意の利用者（例えばＰ１）の代表利用者ｇ３のフラグ値を１に設定する。その後、当該グループの解除が行れる際、入退管理装置１は、当該フラグ値＝１が設定されている同じ利用者（Ｐ１）のみを、解除の操作を行うことができるようにする。また、前述のグループ登録後のグループ入退の際に認証を行う利用者についても、この代表利用者ｇ３のフラグ値＝１が設定された利用者のみが可能なようにする。
【００８９】
実施の形態２の入退管理システムによっても、共連れ検知機能かつグループ機能を実現し、グループの単位でのスムーズな入退を実現でき、利用者の利便性が高い。
【００９０】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００９１】
本発明は、各種の施設の入退管理に利用可能である。
【符号の説明】
【００９２】
１…入退管理装置、２…認証装置、３…検知装置、４…ドア、５…カード、６…検知エリア、７…管理エリア、８…ＬＡＮ、１０…入退管理制御部、１１…共連れ検知部、１２…グループ管理部、１３…グループ登録部、１４…グループ解除部、１５…グループ判定部、２１…認証部、２２…グループ登録部、２３…グループ解除部、３１…人数検知部、３２…撮影部、５０…入退管理テーブル、５１…共連れ検知テーブル、５２…グループ管理テーブル。
【図１】
2015060550.tif 000003
【図２】
2015060550.tif 000004
【図３】
2015060550.tif 000005
【図４】
2015060550.tif 000006
【図５】
2015060550.tif 000007
【図６】
2015060550.tif 000008
【図７】
2015060550.tif 000009
【図８】
2015060550.tif 000010
【図９】
2015060550.tif 000011
【図１０】
2015060550.tif 000012